(57)【要約】  フレキシブルディスプレイスクリーン（１１）及びブラケット（１２）を含む電子装置（１０）である。ブラケット（１２）は、２つの環状のキャリア（１２２）と、２つのキャリア（１２２）を接続する接続機構（１２４）とを含む。フレキシブルディスプレイスクリーン（１１）の両端は、２つのキャリア（１２２）にそれぞれ接続される。キャリア（１２２）は、リール（１２２１）及びアクチュエータ部（１２２２）を含み、アクチュエータ部（１２２２）は、２つのキャリア（１２２）が閉じるときに、フレキシブルディスプレイスクリーン（１１）を巻き取るようにリール（１２２１）を駆動するためのものである。２つのキャリア（１２２）が閉じて接した場合に、フレキシブルディスプレイスクリーン（１１）が閉じられる。接続機構（１２４）は、２つのキャリア（１２２）が開いている場合に、２つのキャリア（１２２）を固定するためのものである。２つのキャリア（１２２）が開いている場合に、フレキシブルディスプレイスクリーン（１１）が開かれる。電子装置（１０）は、２つのキャリア（１２２）が閉じるときに、アクチュエータ部（１２２２）によってフレキシブルディスプレイスクリーン（１１）を巻き取るようにリール（１２２１）を駆動し、ユーザが使用する必要がない場合に、フレキシブルディスプレイスクリーン（１１）をキャリア（１２２）内に隠すことにより、フレキシブルディスプレイスクリーン（１１）を保護する機能を発揮する。  【選択図】図１
2019532424.tif 000002
【特許請求の範囲】
【請求項１】
フレキシブルディスプレイスクリーンとブラケットとを含む電子装置であって、
前記ブラケットは、２つの環状のキャリアと、前記２つのキャリアを接続する接続機構と、を含み、
前記フレキシブルディスプレイスクリーンの両端は、前記２つのキャリアにそれぞれ接続され、前記キャリアは、リール及びアクチュエータ部を含み、前記アクチュエータ部は、前記２つのキャリアが閉じるときに、前記フレキシブルディスプレイスクリーンを巻き取るように前記リールを駆動するためのものであり、前記２つのキャリアが閉じて接した場合に、前記フレキシブルディスプレイスクリーンが閉じられ、
前記接続機構は、前記２つのキャリアが開いている場合に、前記２つのキャリアを固定するためのものであり、前記２つのキャリアが開いている場合に、前記フレキシブルディスプレイスクリーンが開かれる、
ことを特徴とする電子装置。
【請求項２】
各前記キャリアは、他方の前記キャリアに対向する表面を含み、前記キャリアには、収容キャビティと、前記表面に位置するとともに前記収容キャビティに連通する開口とが形成され、前記フレキシブルディスプレイスクリーンは、２つの前記開口を通過して設けられ、前記リール及び前記アクチュエータ部は、前記収容キャビティ内に収容され、前記２つのキャリアが閉じて接した場合に、２つの前記表面が密着される、
ことを特徴とする請求項１に記載の電子装置。
【請求項３】
前記電子装置は、密封体を含み、前記密封体は、前記開口内に設置され、前記開口の内壁とともに通過孔を形成し、前記フレキシブルディスプレイスクリーンは、前記通過孔を通過して設けられる、
ことを特徴とする請求項２に記載の電子装置。
【請求項４】
前記密封体は、フレキシブル材料からなり、前記フレキシブルディスプレイスクリーンは、前記密封体と接触している、
ことを特徴とする請求項３に記載の電子装置。
【請求項５】
各前記キャリアは、前記フレキシブルディスプレイスクリーンに接続される直線セクションを含む、
ことを特徴とする請求項１に記載の電子装置。
【請求項６】
前記アクチュエータ部は、前記キャリア内に固定設置されたベースと、前記ベースと前記リールとを接続するコイルバネと、を含み、前記リールは、前記ベースに回転可能に設置され、前記コイルバネは、前記２つのキャリアが閉じるときに、前記フレキシブルディスプレイスクリーンを巻き取るように前記リールを駆動する、
ことを特徴とする請求項１に記載の電子装置。
【請求項７】
前記リールの長さは、前記フレキシブルディスプレイスクリーンの長さよりも大きい、
ことを特徴とする請求項６に記載の電子装置。
【請求項８】
前記接続機構は、
第１のヒンジと、
前記第１のヒンジの一端に接続される第２のヒンジ及び第３のヒンジと、
前記第１のヒンジの他端に接続される第４のヒンジ及び第５のヒンジと、を含み、
前記第２のヒンジは、第１のギアを含み、前記第３のヒンジの一端が一方の前記キャリアに接続され、
前記第５のヒンジは、第２のギアを含み、前記第５のヒンジの一端が他方の前記キャリアに接続され、
前記第２のヒンジと前記第５のヒンジとは、前記第１のギアと前記第２のギアとの噛合によって接続される、
ことを特徴とする請求項１に記載の電子装置。
【請求項９】
前記電子装置は、前記２つのキャリアが開いているか否かを検出するためのセンサと、前記２つのキャリアが開いている場合に全画面表示するように前記フレキシブルディスプレイスクリーンを制御するための制御装置と、を含む、
ことを特徴とする請求項１に記載の電子装置。
【請求項１０】
前記センサは、光電スイッチを含む、
ことを特徴とする請求項９に記載の電子装置。
【請求項１１】
前記電子装置は、前記収容キャビティ内に設置された電池を含み、前記電池は、前記フレキシブルディスプレイスクリーンに電気的に接続される、
ことを特徴とする請求項２に記載の電子装置。
【請求項１２】
前記電子装置は、前記収容キャビティ内に設置されたプリント回路基板を含み、前記フレキシブルディスプレイスクリーンは、前記プリント回路基板に電気的に接続される、
ことを特徴とする請求項２に記載の電子装置。
【請求項１３】
前記第１のヒンジは、Ｖ型バリアを含み、前記接続機構が開いている場合に、前記Ｖ型バリアの一方のアームが前記第５のヒンジの外側面に当接され、前記Ｖ型バリアの他方のアームが前記第３のヒンジの外側面に当接されて、前記接続機構の開き角度を規制する、
ことを特徴とする請求項８に記載の電子装置。
【発明の詳細な説明】
【技術分野】
【０００１】
本発明は、ウェアラブルスマートデバイス分野に関し、特に電子装置に関する。
【背景技術】
【０００２】
近年来、製品がスマート化している傾向が激化するにつれて、スマートウォッチ、スマートリストバンドなどのスマートウェアラブルデバイスは、ますます消費者の人気を集めるようになってきている。ディスプレイ付きスマートウェアラブルデバイスは、可視化した操作を実現し、関連情報を明確に表示することができ、人々の生活を極めて便利にしている。
【０００３】
しかしながら、関連技術では、スマートウェアラブルデバイスのディスプレイは、通常、外部に露出しており、破損しやすく、また、長時間にわたってディスプレイにほこりや水しみが溜まりやすく、このことはスマートウェアラブルデバイスの寿命に影響を与える。
【発明の概要】
【発明が解決しようとする課題】
【０００４】
本発明は、従来技術における少なくとも１つの技術的課題を解決することを目的とする。そのため、本発明は、電子装置を提供する必要がある。
【課題を解決するための手段】
【０００５】
本発明の実施形態に係る電子装置は、
フレキシブルディスプレイスクリーンと、
ブラケットとを含み、
前記ブラケットは、２つの環状のキャリアと、前記２つのキャリアを接続する接続機構と、を含み、
前記フレキシブルディスプレイスクリーンの両端は、前記２つのキャリアにそれぞれ接続され、前記キャリアは、リール及びアクチュエータ部を含み、前記アクチュエータ部は、前記２つのキャリアが閉じるときに、前記フレキシブルディスプレイスクリーンを巻き取るように前記リールを駆動するためのものであり、前記２つのキャリアが閉じて接した場合に、前記フレキシブルディスプレイスクリーンが閉じられ、
前記接続機構は、前記２つのキャリアが開いている場合に、前記２つのキャリアを固定するためのものであり、前記２つのキャリアが開いている場合に、前記フレキシブルディスプレイスクリーンが開かれる。
【０００６】
本発明の実施形態に係る電子装置は、前記２つのキャリアが閉じるときに、アクチュエータ部によって前記フレキシブルディスプレイスクリーンを巻き取るように前記リールを駆動し、ユーザが使用する必要がない場合に、フレキシブルディスプレイスクリーンをキャリア内に隠すことにより、フレキシブルディスプレイスクリーンを保護する機能を発揮する。
【０００７】
一部の実施形態では、各前記キャリアは、他方の前記キャリアに対向する表面を含み、前記キャリアには、収容キャビティと、前記表面に位置するとともに前記収容キャビティに連通する開口とが形成され、前記フレキシブルディスプレイスクリーンは、２つの前記開口を通過して設けられ、前記リール及び前記アクチュエータ部は、前記収容キャビティ内に収容され、前記２つのキャリアが閉じて接した場合に、２つの前記表面が密着される。
【０００８】
一部の実施形態では、前記電子装置は、密封体を含み、前記密封体は、前記開口内に設置され、前記開口の内壁とともに通過孔を形成し、前記フレキシブルディスプレイスクリーンは、前記通過孔を通過して設けられる。
【０００９】
一部の実施形態では、前記密封体は、フレキシブル材料からなり、前記フレキシブルディスプレイスクリーンは、前記密封体と接触している。
【００１０】
一部の実施形態では、各前記キャリアは、前記フレキシブルディスプレイスクリーンに接続される直線セクションを含む。
【００１１】
一部の実施形態では、前記アクチュエータ部は、前記キャリア内に固定設置されたベースと、前記ベースと前記リールとを接続するコイルバネと、を含み、前記リールは、前記ベースに回転可能に設置され、前記コイルバネは、前記２つのキャリアが閉じるときに、前記フレキシブルディスプレイスクリーンを巻き取るように前記リールを駆動する。
【００１２】
一部の実施形態では、前記リールの長さは、前記フレキシブルディスプレイスクリーンの長さよりも大きい。
【００１３】
一部の実施形態では、前記接続機構は、
第１のヒンジと、
前記第１のヒンジの一端に接続される第２のヒンジ及び第３のヒンジと、
前記第１のヒンジの他端に接続される第４のヒンジ及び第５のヒンジと、を含み、
前記第２のヒンジは、第１のギアを含み、前記第３のヒンジの一端が一方の前記キャリアに接続され、
前記第５のヒンジは、第２のギアを含み、前記第５のヒンジの一端が他方の前記キャリアに接続され、
前記第２のヒンジと前記第５のヒンジとは、前記第１のギアと前記第２のギアとの噛合によって接続される。
【００１４】
一部の実施形態では、前記電子装置は、前記２つのキャリアが開いているか否かを検出するためのセンサと、前記２つのキャリアが開いている場合に全画面表示するように前記フレキシブルディスプレイスクリーンを制御するための制御装置と、を含む。
【００１５】
一部の実施形態では、前記センサは、光電スイッチを含む。
【００１６】
一部の実施形態では、前記電子装置は、前記収容キャビティ内に設置された電池を含み、前記電池は、前記フレキシブルディスプレイスクリーンに電気的に接続される。
【００１７】
一部の実施形態では、前記電子装置は、前記収容キャビティ内に設置されたプリント回路基板を含み、前記フレキシブルディスプレイスクリーンは、前記プリント回路基板に電気的に接続される。
【００１８】
一部の実施形態では、前記第１のヒンジは、Ｖ型バリアを含み、前記接続機構が開いている場合に、前記Ｖ型バリアの一方のアームは、第５のヒンジの外側面に当接され、前記Ｖ型バリアの他方のアームは、第３のヒンジの外側面に当接されて、前記接続機構の開き角度を規制する。
【００１９】
発明の実施形態の付加的な特徴及び利点は、以下の説明において一部が示され、一部が以下の説明により明らかになるか、または、本発明の実施により理解され得る。
【図面の簡単な説明】
【００２０】
本発明の上記および／または付加的な特徴と利点は、実施形態を図面を参照して以下に説明することにより、明らかになり、理解され易くなる。
【図１】本発明の実施形態に係る電子装置の表示状態を切り替える過程の概略図である。
【図２】本発明の実施形態に係る電子装置のフレキシブルディスプレイスクリーンが閉じている状態にあるときの概略構造図である。
【図３】本発明の実施形態に係る電子装置のフレキシブルディスプレイスクリーンが開いている状態にあるときの概略構造図である。
【図４】本発明の実施形態に係る電子装置の一部の分解図である。
【図５】本発明の実施形態に係る電子装置の他の部分の分解図である。
【図６】本発明の実施形態に係る接続機構の分解図である。
【図７】本発明の実施形態に係る接続機構の概略斜視図である。
【図８】本発明の実施形態に係る電子装置の機能モジュールの概略図である。
【発明を実施するための形態】
【００２１】
以下に、本発明の実施形態を詳細に説明する。前記実施形態の例が図面に示されるが、同一または類似する符号は、常に、相同又は類似する部品、或いは、相同又は類似する機能を有する部品を表す。
【００２２】
図面を参照しながら以下に説明される実施形態は、例示するものであり、本発明を解釈するためだけに用いられ、本発明を限定するものと理解してはいけない。
【００２３】
図１〜図４を参照し、本発明の実施形態に係る電子装置１０は、フレキシブルディスプレイスクリーン１１とブラケット１２とを含む。ブラケット１２は、２つの環状のキャリア１２２と、２つのキャリア１２２を接続する接続機構１２４と、を含む。フレキシブルディスプレイスクリーン１１の両端は、２つのキャリア１２２にそれぞれ接続される。キャリア１２２は、リール１２２１及びアクチュエータ部１２２２を含み、アクチュエータ部１２２２は、２つのキャリア１２２が閉じるときに、フレキシブルディスプレイスクリーン１１を巻き取るようにリール１２２１を駆動するためのものであり、２つのキャリア１２２が閉じて接した場合に、フレキシブルディスプレイスクリーン１１が閉じられる。接続機構１２４は、２つのキャリア１２２が開いている場合に、２つのキャリア１２２を固定するためのものであり、２つのキャリア１２２が開いている場合に、フレキシブルディスプレイスクリーン１１が開かれる。
【００２４】
本発明の実施形態に係る電子装置１０は、２つのキャリア１２２が閉じるときに、アクチュエータ部１２２２によってフレキシブルディスプレイスクリーン１１を巻き取るようにリール１２２１を駆動し、ユーザが使用する必要がない場合に、フレキシブルディスプレイスクリーン１１をキャリア１２２内に隠すことにより、フレキシブルディスプレイスクリーン１１を保護する機能を発揮する。
【００２５】
一部の実施形態では、電子装置１０は、リストバンドの形態で設計することができ、人々が身に着けるのに便利であり、持ち運びができ、美しく、紛失し難く、そして使用に便利であるという利点を有する。
【００２６】
当然ながら、電子装置１０の形態は、前述した実施形態に限らず、他の実施形態では、必要に応じて電子装置１０を他の形態で設計することができる。
【００２７】
本発明の実施形態では、アクチュエータ部１２２２及びリール１２２１は、一方のキャリア１２２内に設置され、フレキシブルディスプレイスクリーン１１の一端がリール１２２１に巻き取られ、フレキシブルディスプレイスクリーン１１の他端が他方のキャリア１２２に固定される。
【００２８】
図３、図４及び図５を参照して、一部の実施形態では、各キャリア１２２は、他方のキャリア１２２に対向する表面１２２３を含み、キャリア１２２には、収容キャビティ１２２４と、表面１２２３に位置するとともに収容キャビティ１２２４に連通する開口１２２５とが形成され、フレキシブルディスプレイスクリーン１１は、２つの開口１２２５を通過して設けられ、リール１２２１及びアクチュエータ部１２２２は、収容キャビティ１２２４内に収容され、２つのキャリア１２２が閉じて接した場合に、２つの表面１２２３が密着されるようになる。
【００２９】
具体的に、２つのキャリア１２２が閉じて接した場合に、２つのキャリア１２２の表面１２２３が密着されることにより、フレキシブルディスプレイスクリーン１１が完全に保護される。
【００３０】
一部の実施形態では、２つのキャリア１２２の開口１２２５が対応的に揃っている。
つまり、２つのキャリア１２２には、同じ大きさの開口１２２５を対称に設置することができ、２つの開口１２２５の上下縁が揃っている。このようにすることで、２つの開口１２２５を容易に形成し、フレキシブルディスプレイスクリーン１１をほぼ同一水平面に位置させることができ、フレキシブルディスプレイスクリーン１１の傾斜が回避される。
【００３１】
一部の実施形態では、電子装置１０は、密封体１３を含み、密封体１３は、開口１２２５内に設置され、開口１２２５の内壁とともに通過孔１３２を形成し、フレキシブルディスプレイスクリーン１１は、通過孔１３２を通過して設けられる。
【００３２】
具体的に、密封体１３は、開口１２２５を密封するとともに、通過孔１３２を残しておき、通過孔１３２は、収容キャビティ１２２４内に密封されたリール１２２１に巻き取られるようにフレキシブルディスプレイスクリーン１１を通過させるためのものである。
【００３３】
本発明の実施形態では、フレキシブルディスプレイスクリーン１１の一端が一方のキャリア１２２内のリール１２２１に巻き取られ、フレキシブルディスプレイスクリーン１１の他端は、他方のキャリア１２２の密封体１３に固定されて、フレキシブルディスプレイスクリーン１１の他端を他のキャリア１２２に固定接続させる。
【００３４】
一部の実施形態では、通過孔１３２のサイズは、フレキシブルディスプレイスクリーン１１の厚さよりも若干大きくてもよく、フレキシブルディスプレイスクリーン１１は、密封体１３と接触しなくてもよい。
【００３５】
このようにすることで、フレキシブルディスプレイスクリーン１１が通過孔１３２を通過することは、便利になる。
【００３６】
一部の実施形態では、密封体１３は、フレキシブル材料からなり、フレキシブルディスプレイスクリーン１１は、密封体１３と接触している。
【００３７】
このようにすることで、通過孔１３２のサイズは、フレキシブルディスプレイスクリーン１１の厚さと一致するように設定することができ、密封体１３は、フレキシブル材料からなることにより、フレキシブルディスプレイスクリーン１１がリール１２２１に巻き取られる過程で、密封体１３によるフレキシブルディスプレイスクリーン１１の磨耗を減少させる。
【００３８】
一部の実施形態では、各キャリア１２２は、直線セクション１２２６を含み、フレキシブルディスプレイスクリーン１１は、直線セクション１２２６に接続される。
【００３９】
このようにすることで、２つのキャリア１２２が閉じて接した場合に、フレキシブルディスプレイスクリーン１１がより平坦に巻き取られ、一方、２つのキャリア１２２が開いている場合に、フレキシブルディスプレイスクリーン１１が開かれて、平ら且つストレートな表示面になり、ユーザは、フレキシブルディスプレイスクリーン１１によって表示された関連情報をより明確に見ることができ、インタフェースの視覚効果が向上する。
【００４０】
図５を参照し、一部の実施形態では、アクチュエータ部１２２２は、キャリア１２２内に固定設置されたベース１２２２２と、ベース１２２２２とリール１２２１とを接続するコイルバネ１２２２４と、を含み、リール１２２１は、ベース１２２２２に回転可能に設置され、コイルバネ１２２２４は、２つのキャリア１２２が閉じるときに、フレキシブルディスプレイスクリーン１１を巻き取るようにリール１２２１を駆動するためのものである。
【００４１】
具体的に、コイルバネ１２２２４は、電力を使用する必要がなく、狭いスペースで大きな復元力を提供することができる。２つのキャリア１２２が開いている場合に、２つのキャリア１２２を接続する接続機構１２４は、２つのキャリア１２２を固定して、フレキシブルディスプレイスクリーン１１が開かれるようになる。２つのキャリア１２２が閉じるときに、コイルバネ１２２２４は、フレキシブルディスプレイスクリーン１１を巻き取るようにリール１２２１を駆動する。
【００４２】
本発明の実施形態では、リール１２２１の両端のそれぞれには、ベース１２２２２及びコイルバネ１２２２４が設置され、キャリア１２２と２つのベース１２２２２とは、それぞれ１つのコイルバネ１２２２４を介して接続される。２つのキャリア１２２が閉じるときに、２つのコイルバネ１２２２４は、同時にフレキシブルディスプレイスクリーン１１を巻き取るようにリール１２２１を駆動することにより、フレキシブルディスプレイスクリーン１１がリール１２２１により容易に巻き取られる。
【００４３】
一部の実施形態では、リール１２２１の長さは、フレキシブルディスプレイスクリーン１１の長さＬよりも大きい。
【００４４】
このようにすることで、リール１２２１がフレキシブルディスプレイスクリーン１１を巻き取る過程がより円滑になるとともに、フレキシブルディスプレイスクリーン１１をより平坦に巻き取ることができる。
【００４５】
図６及び図７を参照し、一部の実施形態では、接続機構１２４は、第１のヒンジ１２４１、第２のヒンジ１２４２、第３のヒンジ１２４３、第４のヒンジ１２４４、及び第５のヒンジ１２４５を含む。第２のヒンジ１２４２及び第３のヒンジ１２４３は、第１のヒンジ１２４１の一端に接続される。第２のヒンジ１２４２は、第１のギア１２４２２を含む。第３のヒンジ１２４３の一端は、一方のキャリア１２２に接続される。第４のヒンジ１２４４及び第５のヒンジ１２４５は、第１のヒンジ１２４１の他端に接続される。第５のヒンジ１２４５は、第２のギア１２４５２を含む。第５のヒンジ１２４５の一端は、他方のキャリア１２２に接続される。第２のヒンジ１２４２と第５のヒンジ１２４５とは、第１のギア１２４２２と第２のギア１２４５２との噛合によって接続される。
【００４６】
具体的に、２つのキャリア１２２が閉じる又は開く場合に、第２のヒンジ１２４２と第５のヒンジ１２４５とのギアの噛合により、第３のヒンジ１２４３の一端に接続された一方のキャリア１２２は、第５のヒンジ１２４５に接続された他方のキャリア１２２と連動し、回転軸１２４６回りに回転し、即ち、２つのキャリア１２２は、同時に相対的に接近したり、離反したりすることができる。
【００４７】
このようにすることで、操作がさらに便利になり、ユーザの体験が向上する。
【００４８】
また、本発明の実施形態では、第１のヒンジ１２４１は、さらに、接続機構１２４の開き角度を規制することができる。具体的に、第１のヒンジ１２４１は、Ｖ型バリア１２４１２を含み、接続機構１２４が開いている場合に、Ｖ型バリア１２４１２の一方のアームが第５のヒンジ１２４５の外側面に当接され、Ｖ型バリア１２４１２の他方のアームは、第３のヒンジ１２４３の外側面に当接されることにより、接続機構１２４の開き角度を規制する。
【００４９】
このようにすることで、Ｖ型バリア１２４１２は、第５のヒンジ１２４５と第３のヒンジ１２４３との開き角度を規制し、さらに接続機構１２４の開き角度を規制して、フレキシブルディスプレイスクリーン１１を保護する。
【００５０】
本発明の実施形態では、接続機構１２４の数が２つであり、一方の接続機構１２４は、２つのキャリア１２２の両端に接続され、他方の接続機構１２４は、２つのキャリア１２２の他方の両端に接続され、このようにすることで、接続機構１２４は、２つのキャリア１２２に均等な支持力を供給することができる。
【００５１】
図８を参照し、一部の実施形態では、電子装置１０は、センサ１４及び制御装置１５を含み、センサ１４は、２つのキャリア１２２が開いているか否かを検出するためのものであり、制御装置１５は、２つのキャリア１２２が開いている場合に、全画面表示するようにフレキシブルディスプレイスクリーン１１を制御するためのものである。
【００５２】
このようにすることで、センサ１４が２つのキャリア１２２が開いていることを検出した場合に、ユーザはボタン又はスクリーンをクリックする必要がなく、制御装置１５は、明るくなるようにフレキシブルディスプレイスクリーン１１を制御し、操作がより便利になる。
【００５３】
一部の実施形態では、センサ１４は、光電スイッチを含む。
【００５４】
具体的に、光電スイッチは、キャリア１２２の収容キャビティ１２２４内の所定の位置に設置される。２つのキャリア１２２が閉じて接した場合に、光電スイッチは、光線を検出できず、ノーマリーオープン状態にある。２つのキャリア１２２が開いている場合に、光電スイッチは、光線を受光し、光信号を電気信号に変換し、光電スイッチのクローズを実現することにより、制御装置１５は、全画面表示するようにフレキシブルディスプレイスクリーン１１を制御するようになる。
【００５５】
当然ながら、センサ１４の種類は、上記の実施形態に限らず、他の実施形態では、必要に応じて他のタイプのセンサ１４を利用してもよい。
【００５６】
一部の実施形態では、電子装置１０は、収容キャビティ１２２４内に設置された電池１６を含み、電池１６は、フレキシブルディスプレイスクリーン１１に電気的に接続される。
【００５７】
このようにすることで、電池１６によってフレキシブルディスプレイスクリーン１１を含む各電子部品に電力供給して電子装置１０の正常な作動を確保する。
【００５８】
具体的に、電池１６は、充電可能な電池、例えば、充電可能なリチウム電池であってもよい。
【００５９】
一部の実施形態では、キャリア１２２には、ＵＳＢインタフェースが設置されてもよい。ＵＳＢインタフェースは、電池１６に電気的に接続されるとともに、電池１６を充電するように外部電源に接続するか、又は電子装置１０のデータの取得に用いられてもよい。
【００６０】
一部の実施形態では、電子装置１０は、収容キャビティ１２２４内に設置されたプリント回路基板１７を含み、フレキシブルディスプレイスクリーン１１は、プリント回路基板１７に電気的に接続される。
【００６１】
このようにすることで、プリント回路基板１７（ＰＣＢＡ、Ｐｒｉｎｔｅｄ  Ｃｉｒｃｕｉｔ  Ｂｏａｒｄ  ＋  Ａｓｓｅｍｂｌｙ）によりフレキシブルディスプレイスクリーン１１を含む各電子部品に支持及び線接続を提供することができる。
【００６２】
本発明の実施形態の説明において、「中心」、「縦方向」、「横方向」、「長さ」、「幅」、「厚み」、「上」、「下」、「前」、「後」、「左」、「右」、「鉛直」、「水平」、「頂」、「底」、「内」、「外」、「時計回り」、「逆時計回り」などの用語が示す方位又は位置関係は、図面に示す方位又は位置関係に基づき、本発明を便利にまたは簡単に説明するために使用されるものであり、指定された装置又は部品が特定の方位にあり、特定の方位において構造され操作されると指示又は暗示するものではないので、本発明の実施形態に対する限定と理解してはいけない。なお、「第１」、「第２」の用語は目的を説明するためだけに用いられるものであり、相対的な重要性を指示又は暗示するか、或いは示された技術的特徴の数を黙示的に指示すると理解してはいけない。ここで、「第１」、「第２」が限定されている特徴は一つ又はより多くの前記特徴を含むことを明示又は暗示し得るものである。本発明の実施形態の説明において、明確且つ具体的な限定がない限り、「複数」とは、２つ以上を意味する。
【００６３】
なお、本発明の実施形態の説明において、明確な規定と限定がない限り、「取り付け」、「互いに接続」、「接続」の用語の意味は広く理解されるべきである。例えば、固定接続や、着脱可能な接続や、あるいは一体的な接続でも可能である。機械的な接続や、電気的な接続や、あるいは互いに通信することも可能である。直接的に接続することや、中間媒体を介して間接的に接続することや、２つの部品の内部が連通することや、あるいは２つの部品の間に相互の作用関係があることも可能である。当業者にとって、具体的な状況に基づいて上記用語の本発明の実施形態においての具体的な意味を理解することができる。
【００６４】
本発明の実施形態の説明において、明確な規定と限定がない限り、第１の特徴が第２の特徴の「上」又は「下」にあることは、第１の特徴と第２の特徴とが直接的に接触することを含んでも良いし、第１の特徴と第２の特徴とが直接的に接触することではなくそれらの間の別の特徴を介して接触することを含んでもよい。また、第１の特徴が第２の特徴の「上」、「上方」又は「上面」にあることは、第１の特徴が第２の特徴の真上及び斜め上にあることを含むか、或いは、単に第１の特徴の水平高さが第２の特徴より高いことだけを表す。第１の特徴が第２の特徴の「下」、「下方」又は「下面」にあることは、第１の特徴が第２の特徴の真下及び斜め下にあることを含むか、或いは、単に第１の特徴の水平高さが第２の特徴より低いことだけを表す。
【００６５】
以下の説明において、多くの異なる実施形態または例を提供することにより本発明の実施形態の異なる構造を実現する。本発明の実施形態の開示を簡潔にするために、以下に特定の例の部材及び配置について説明する。勿論、これらは例示に過ぎず、本発明を限定することを意図していない。また、本発明の実施形態は、異なる例において参照数字及び／または参照アルファベットを重複することができる。このような重複は、簡潔及び明瞭にする目的であり、それ自体は検討する各種の実施形態及び／または配置間の関係を示すものではない。また、本発明の実施形態は、さまざまな特定のプロセス及び材料の例を挙げているが、当業者は、他のプロセスの適用及び／または他の材料の使用も考えることが可能である。
【００６６】
本発明の説明において、「一実施形態」、「一部の実施形態」、「例示的な実施形態」、「例」、「具体例」、又は「一部の例」などの用語を参照した説明とは、該実施形態又は実施形態に結合して説明された具体的な特徴、構成、材料又は特徴が、本発明の少なくとも一実施形態又は例に含まれることを意味する。本明細書において、上記用語に対する例示的な記述は、必ずしも同一の実施形態又は例を示すことではない。又、説明された具体的な特徴、構成、材料又は特徴は、いずれか１つ又は複数の実施形態又は例において適切に組み合わせることができる。
【００６７】
フローチャートにおける、又はここで他の形態で記載された任意のプロセス又は方法は、カスタムロジック機能又はプロセスのステップを実現するための１つ又は複数の実行可能な命令コードを含むモジュール、セグメント又は一部を表すと理解されてもよい。また、本発明の好ましい実施形態の範囲は、ここで、示された又は論議された順番ではなく、係る機能に応じてほぼ同時の形態又は逆の順番で機能を実行することができる他の実現を含むことができる。これは、当業者であれば理解すべきものである。
【００６８】
フローチャートで示された又はここで他の形態で説明されたロジック及び／又はステップは、例えば、ロジック機能を実現するための実行可能な命令の順番付けられたリストと見なすことができ、任意のコンピュータ読み取り可能な記憶媒体に具体的に実装されて、命令実行システム、装置、又はデバイス（例えばコンピュータに基づいたシステム、プロセッサを含むシステム、又は他の命令実行システム、装置又はデバイスから命令を獲得して命令を実行するシステム）に利用されるか、又はこれらの命令実行システム、装置又はデバイスと組み合わせて利用される。本願明細書において、「コンピュータ読み取り可能な記憶媒体」は、命令実行システム、装置又はデバイスによって、又は、命令実行システム、装置又はデバイスと組み合わせて使用するためのプログラムを含む、格納する、通信する、伝播する、又は伝送することができる任意の装置であってもよい。コンピュータ読み取り可能な記憶媒体のより具体的な例（非限定的なリスト）として、１つ又は複数の配線を備える電気接続部（電子デバイス）、ポータブルコンピュータディスクカートリッジ（磁気デバイス）、ランダムアクセスメモリ（ＲＡＭ）、読み出し専用メモリ（ＲＯＭ）、消去可能なプログラマブル読み出し専用メモリ（ＥＰＲＯＭ又はフラッシュメモリ）、光ファイバデバイス、及びポータブルコンパクトディスク読み出し専用メモリ（ＣＤＲＯＭ）を含む。また、コンピュータ読み取り可能な記憶媒体は、前記プログラムが印刷され得る紙又は他の適切な媒体であってもよく、これは、例えば、紙や他の媒体を光学的スキャンし、次に編集し、解釈し、又は必要な場合に他の適切な形態で処理して前記プログラムを電子的に取得して、そしてコンピュータメモリに格納するからである。
【００６９】
なお、本発明の実施形態の各部分は、ハードウェア、ソフトウェア、ファームウェア、又はこれらの組み合わせによって実現することができる。上記実施形態において、複数のステップ又は方法は、メモリに記憶された且つ適切な命令実行システムによって実行されるソフトウェア又はファームウェアによって実現することができる。例えば、ハードウェアで実現される場合に、他の実施形態と同様に、本分野において周知である、データ信号に対してロジック機能を実現するためのロジックゲート回路を備える離散ロジック回路、適切な組み合わせのロジックゲート回路を備える特定用途向け集積回路、プログラマブルゲートアレイ（ＰＧＡ）、フィールドプログラマブルゲートアレイ（ＦＰＧＡ）などの当分野の周知技術のうちいずれか１つ又はこれらの組み合わせによって実現することができる。
【００７０】
普通の当業者であれば、上記の実施例に係る方法に含まれる全部又は一部のステップは、プログラムによってハードウェアを命令することで実行することができると理解することができる。前記プログラムは、コンピュータ読み取り可能な記憶媒体に格納することができ、当該プログラムが実行される場合に、方法実施例におけるステップの１つ又はそれらの組み合わせが実行される。
【００７１】
また、本発明の各実施例における各機能ユニットは、１つの処理モジュールに集積されてもよいし、それぞれが個別の物理的存在であってもよいし、２つ以上のユニットが１つのモジュールに集積されてもよい。上記の集積モジュールは、ハードウェアの形態で実現されてもよいし、ソフトウェア機能モジュールの形態で実現されてもよい。前記集積モジュールがソフト機能モジュールの形態で実現されるとともに、独立した製品として販売又は使用される場合に、１つのコンピュータ読み取り可能な記憶媒体に記憶されてもよい。
【００７２】
上記の記憶媒体は、読み出し専用メモリ、磁気ディスク、又はＣＤなどであってもよい。
【００７３】
以上、本発明の実施形態を示して説明したが、上記実施形態は例示するものであって、本発明を制限するためのものであると理解してはいけない。普通の当業者であれば、本発明の範囲内で上記実施形態に対して変更、修正、取り替え、変形を行うことができる。
【符号の説明】
【００７４】
電子装置１０、フレキシブルディスプレイスクリーン１１、ブラケット１２、キャリア１２２、リール１２２１、アクチュエータ部１２２２、ベース１２２２２、コイルバネ１２２２４、表面１２２３、収容キャビティ１２２４、開口１２２５、直線セクション１２２６、接続機構１２４、第１のヒンジ１２４１、Ｖ型バリア１２４１２、第２のヒンジ１２４２、第１のギア１２４２２、第３のヒンジ１２４３、第４のヒンジ１２４４、第５のヒンジ１２４５、第２のギア１２４５２、回転軸１２４６、密封体１３、通過孔１３２、センサ１４、制御装置１５、電池１６、プリント回路基板１７
【図１】
2019532424.tif 000003
【図２】
2019532424.tif 000004
【図３】
2019532424.tif 000005
【図４】
2019532424.tif 000006
【図５】
2019532424.tif 000007
【図６】
2019532424.tif 000008
【図７】
2019532424.tif 000009
【図８】
2019532424.tif 000010
【国際調査報告】
2019532424.tif 000011
2019532424.tif 000012
2019532424.tif 000013
2019532424.tif 000014